(57)【要約】【課題】歩道と車道などの境界に設置されるフェンスに折り畳み収納できる椅子を取り付け、不使用時に歩行者の邪魔にならない椅子付フェンスを提供すること。【解決手段】フェンス１を構成する支柱２および３に直接シャフト１１を回転可能に軸支し、このシャフト１１に腰掛座１５を固定する。支柱２の中空内部に腰掛座折り畳み機構３０を内蔵させ、引張バネ３３の伸縮により変化する付勢力をシャフト１１に付与するよう構成する。腰掛座１５を下方に回転させ、水平状態に停止させることにより椅子として利用することが出来る。利用者が腰掛座１５から立ち上がると、腰掛座１５は引張バネ３３の漸減する付勢力により徐々にスピードを緩めながら回動し、フェンス１内に自動的に収納されるので、歩行者の邪魔になることがない。【選択図】      図２
2004305672.tif 000002
【特許請求の範囲】
【請求項１】
下端部分を埋設されて直立設置される複数の支柱と、該複数の支柱間を連結する固定バーとからなるフェンスにおいて、
前記支柱間に回転可能に設けられたシャフトと、該シャフトに固定された腰掛座と、前記複数の支柱のうち少なくとも１本を中空とし、該支柱の中空内に内蔵され前記シャフトと係合する腰掛座折り畳み機構と、前記腰掛座を水平状態に停止させるストッパ機構とからなり、前記腰掛座は常時は前記腰掛座折り畳み機構によりフェンス内に収納され、使用時には前記ストッパ機構により水平状態に停止されることを特徴とする椅子付フェンス。
【請求項２】
前記腰掛座折り畳み機構は、前記シャフトに固定された部材と、前記支柱の中空内を摺動する摺動体と、一端を該摺動体の上部に他端を前記部材に取付けられ、前記腰掛座に回転方向の付勢力を付与する付勢手段と、前記部材に取付けられ、前記付勢手段によって前記摺動体の下端と常時接触係合する該摺動体支持部材とからなることを特徴とする請求項１記載の椅子付フェンス。
【請求項３】
前記腰掛座折り畳み機構は、前記シャフトに固定された部材と、一端を前記支柱の中空内上部に他端を前記部材に取付けられ、前記腰掛座に回転方向の付勢力を付与する付勢手段と、一端を前記支柱の中空内上部に他端を前記部材に取付けられ、前記付勢手段の収縮・伸張に伴って逆に伸張・収縮するエアーシリンダと、前記エアーシリンダの上室に設けられたエアー吸入口および下室に設けられたエアー排気口と、前記腰掛座の収納時に該腰掛座の回転に伴って前記排気口を徐々に閉鎖する排気口閉鎖機構とからなることを特徴とする請求項１記載の椅子付フェンス。
【発明の詳細な説明】
【０００１】
【発明の属する技術分野】
この発明は、例えば歩道と車道との間とか、あるいは公園の植え込みと散歩道との間などのような境界に設けられるフェンスに開閉式椅子を備えた椅子付フェンスに関するものである。
【０００２】
歩道、商店街、駅前広場、公園などにおいて、歩行者が小休止するための固定式ベンチが置かれている。歩行に充分な広い場所に設置されている固定式ベンチは、不使用の場合においても特に歩行者の歩行の障害にはならないが、狭い場所や、道幅の細い歩道などに設置されている固定式ベンチは、通行の障害になるばかりでなく、交通安全の面においても好ましいものではない。
【０００３】
特開２００１−２４５７５２号公報には、防護柵取付け用折り畳み式ベンチが開示されている。この折り畳み式ベンチは、既設の防護柵に後から取り付けるものであって、使用しない時には歩行者の邪魔にならないように、自動的に折り畳まれるようになっている。
【０００４】
【特許文献１】
特開２００１−２４５７５２号公報
【０００５】
【発明が解決しようとする課題】
しかし、この従来のベンチは、既設の防護柵に後から取り付けるため、座板が自動的に折り畳まれても、なお不使用時において背板と座板部分が歩行者側に突出し、通行の邪魔になる。また、コイルバネを使用して自動的に折り畳む方式であるため、ベンチに腰掛けていた者が立ち上がった瞬間に急速に座板の上昇が始まり、次第に加速度的に勢いを増して折り畳まれるため、手を挟まれたりする危険があり、安全性の面でも問題があった。
【０００６】
この発明は、このような事情に鑑みてなされたものであって、折り畳まれた結果、腰掛座部分がフェンスより突出しないよう工夫され、また腰掛けていた者が立ち上がった時に、腰掛座部分は徐々にスピードを減じて折り畳まれるように工夫せれた椅子付フェンスを提供することを目的とする。
【０００７】
【課題を解決するための手段】
この発明は、前記目的を達成するために、請求項１に記載の発明は、下端部分を埋設されて直立設置される複数の支柱と、該複数の支柱間を連結する固定バーとからなるフェンスにおいて、前記支柱間に回転可能に設けられたシャフトと、該シャフトに固定された腰掛座と、前記複数の支柱のうち少なくとも１本を中空とし、該支柱の中空内に内蔵され前記シャフトと係合する腰掛座折り畳み機構と、前記腰掛座を水平状態に停止させるストッパ機構とからなり、前記腰掛座は常時は前記腰掛座折り畳み機構によりフェンス内に収納され、使用時には前記ストッパ機構により水平状態に停止されることを特徴としている。
【０００８】
また、請求項２に記載の発明は、請求項１に記載の椅子付フェンスにおいて、前記腰掛座折り畳み機構は、前記シャフトに固定された部材と、前記支柱の中空内を摺動する摺動体と、一端を該摺動体の上部に他端を前記部材に取付けられ、前記腰掛座に回転方向の付勢力を付与する付勢手段と、前記部材に取付けられ、前記付勢手段によって前記摺動体の下端と常時接触係合する該摺動体支持部材とからなることを特徴としている。
【０００９】
さらにまた、請求項３に記載の発明は、請求項１に記載の椅子付フェンスにおいて、前記腰掛座折り畳み機構は、前記シャフトに固定された部材と、一端を前記支柱の中空内上部に他端を前記部材に取付けられ、前記腰掛座に回転方向の付勢力を付与する付勢手段と、一端を前記支柱の中空内上部に他端を前記部材に取付けられ、前記付勢手段の収縮・伸張に伴って逆に伸張・収縮するエアーシリンダと、前記エアーシリンダの上室に設けられたエアー吸入口および下室に設けられたエアー排気口と、前記腰掛座の収納時に該腰掛座の回転に伴って前記排気口を徐々に閉鎖する排気口閉鎖機構とからなることを特徴としている。
【００１０】
【発明の実施の形態】
以下添付図面に従って、この発明にかかる椅子付フェンスの好ましい実施の形態について詳説する。なお各図において同一部材は同一の番号を付してある。
【００１１】
第１図、第２図において、１はフェンス部分全体を示している。２および３はその下端部分を設置場所に埋設される中空の支柱で、この支柱２および３は適宜な数の固定バー４、５、６、７で連結されてフェンス１を構成している。
【００１２】
１０はフェンス１に取り付けられた椅子部分を示している。固定バー６と７との間には、人が座るのに適当な高さの位置に、回転可能なシャフト１１が設けられている。すなわち支柱２と３の同一高さの位置に、軸受部１２および１３が固着されており、この軸受部１２と１３にシャフト１１の両端部が軸着されて、シャフト１１は回転可能となっている。シャフト１１の支柱２側の端部は第６図に示すように、支柱２の中空部分にまで延びている。また、シャフト１１には腰掛座１５の円筒部分１４が挿入固定されている。
【００１３】
このように構成された椅子部分１０はフェンス１内に収納可能であって、第１図において腰掛座１５は折り畳まれ、その上端部がストッパ１６に当接し、フェンス１内に納められている。また第２図においては、人（図示せず）が腰掛けているときの状態、すなわち腰掛座１５は水平状態を維持して停止している。
【００１４】
第３図により、人が腰掛けたときに腰掛座１５が水平状態を維持して停止するストッパ機構２０について説明する。なお、このストッパ機構２０は支柱２および支柱３のそれぞれに、全く同じ構造のものが取付けられているので、支柱２側のストッパ機構についてのみ説明し、支柱３側については説明を省略する。
【００１５】
腰掛座１５の円筒部分１４には、腰掛座１５と１８０度反対側の位置に、突起部２１が固着されている。支柱２にはこの突起部２１の上面部に係合するボルト２２が設けられており、突起部２１の上面部がボルト２２に当接することにより、腰掛座１５はそれ以上下方に回転せず水平状態を維持して停止することが出来るようになっている。またボルト２２により腰掛座１５の水平状態を調節することが出来るようになっている。
【００１６】
次に、第４図、第５図、第６図により、腰掛座１５の折り畳み機構３０について説明する。なお、腰掛座折り畳み機構は１本の支柱について設置すれば充分であるが、複数の支柱について設けることも勿論可能である。
【００１７】
支柱２の中空内には、中空内を上下方向に摺動可能に内円筒３１が設けられている。内円筒３１の上部には、バー３２が固定され、このバー３２には引張バネ３３の一端が取付けられている。
【００１８】
なお、第６図においては、図示の都合上、バー３２に引張バネ３３の一端を取付ける構造が図示されているが、実際には第４図・第５図に示すように、内円筒３１の上部に平板３４を取付け、調整ボルト３５の下端に引張バネ３３の一端を取り付けるよう構成し、調整ボルト３５を調整することにより、後述する腰掛座１５の折り畳みスピードを調整することが出来るようになっている。
【００１９】
支柱２の中空内に延びているシャフト１１には、部材３６が固定されており、その部材３６に設けられた小孔３７に、前記した引張バネ３３の他の一端が取付けられている。また部材３６にはシャフト１１を中心として、小孔３７と１８０度反対側にボールベアリング３８が取付けられている。このボールベアリング３８に、前記した内円筒３１の下端面が引張バネ３３の付勢力によって接点４０の位置で常時接触支持さている。この接点４０は、内円筒３１の上下動に伴って、その位置を移動出来るよう構成されている。第６図の４１は支柱２に固定された回り止めピンで、その先端は中空内に突出して内円筒３１の外周の上下方向に長く開けられた長孔４２に係合するようになっている。
【００２０】
なお、この実施例では支柱２を円筒形状とし、その内部を上下動する摺動部材を円筒形状の内円筒３１としたが、支柱および摺動部材を角筒形状とすることも勿論可能であり、その場合は回り止めピン４１、長孔４２は不要となる。
【００２１】
このような構成で、シャフト１１つまり腰掛座１５が回転すると部材３６も回転し、接点４０とバー３２の間隔は一定であるので、引張バネ３３は伸縮し、後述するように伸縮量に応じてその付勢力が変化する。
【００２２】
第４図に示すように腰掛座１５が水平状態のとき部材３６の小孔３７は最下端位置にあり、接点４０は最上端位置にあるので、引張バネ３３は最も伸張（Ｌ１）して、その付勢力は最も強い状態にある。
【００２３】
第５図においては腰掛座１５が折り畳まれている状態にあり、このとき部材３６の小孔３７は最上端位置にあり、接点４０は最下端位置にあるので、引張バネ３３は最も収縮（Ｌ２）して、その付勢力は最も弱い状態にある。
【００２４】
つまり引張バネ３３の収縮量は、引張バネ３３の取付位置が回転に伴って円周上の軌跡をたどるため、第４図の状態すなわち腰掛座１５が水平状態から図の矢印方向に回転し角度が減るに従って漸減する。例えば角度が９０度から８０度に変化したときの引張バネ３３の単位当りの収縮量よりも、８０度から７０度に変化したときの単位当りの収縮量の方が小さく、その分引張バネ３３の付勢力は弱まり、以下同様にして付勢力は漸減していく。
【００２５】
従って、腰掛座１５は、折り畳みの初めはスピードが速く回転するが、回転が進むに従って徐々にスピードを緩めて折り畳まれることになる。
【００２６】
次に、このように構成されたこの発明の椅子付フェンスの作用について説明する。
椅子として使用されていない場合には、第１図に示すように腰掛座１５は、支柱２と３の間に折り畳まれ、その上端がストッパ１６に当接して収納され、フェンスとしての機能を果している。しかも腰掛座１５は支柱２および３に軸支されたシャフト１１に取付けられており、また折り畳み機構３０はすべて支柱２の中空内部に収納されているので、第５図に示すように腰掛座１５や折り畳み機構３０が、支柱２および３の幅より突出することはない。
【００２７】
利用者が椅子として使用する場合には、腰掛座１５の上部を引張バネ３３の付勢力よりも強い力で下方に回転させる。このとき第３図に示すようにストッパ機構２０の突起部２１の上面部がボルト２２に当接すると回転は停止し、腰掛座１５は水平状態となり椅子として利用することができる。
【００２８】
利用者が腰掛座１５から立ち上がると、腰掛座１５は引張バネ３３の漸減する付勢力により、時計方向に徐々にスピードを落しながら回転し、その上端がストッパ１６に当接し、フェンス１内に収納される。
【００２９】
次に第７図、第８図、第９図により、腰掛座折り畳み機構３０の他の実施例を説明する。
【００３０】
支柱２の中空内上部には、バー５０が固定され、このバー５０には引張バネ５３の一端が取付けられている。支柱２の中空内に延在しているシャフト１１には部材５４が固定されており、その部材５４に設けられた小孔５５に引張バネ５３の他の一端が取付けられている。また部材５４にはシャフト１１を中心として小孔５５と１８０度反対側にピン５６が植設されており、このピン５６とバー５０との間に、エアーシリンダ５７が設けられている。すなわち、エアーシリンダ５７の外筒５８の凸部５２はバー５０に植設されたピン５１に揺動可能に取付けられており、またエアーシリンダ５７のピストンロッド５９はピン５６に揺動可能に取付けられている。エアーシリンダ５７の内部はＯリング６０により上室６１と下室６２とに仕切られており、上室６１には大気を吸入するエアー吸入口６３が開けられている。下室６２には排出口（図示せず）が開けられており、この排出口に後述するエアー排気口７４に連通するエキゾーストパイプ６４の一端が取付けられている。
【００３１】
支柱２の中空内下部には平板６５が固定されており、この平板６５にはニップル６６が取付けられ、その一端に前記したエキゾーストパイプ６４の他の一端が挿入されている。ニップル６６の内部中心には通気孔６７が設けられており、この通気口６７はニップル６６の外筒部分６８に開けられた小孔６９に連通している。
【００３２】
ニップル６６の外筒部分６８の外周には、回転部材７１が回転可能に嵌合されており、その腕部７２はシャフト１１に固定された部材５４の一部にピン７３を介して揺動可能に取り付けられている。回転部材７１には排気口７４が開けられおり、この排気口７４はニップル６６の外筒部分６８に開けられた小孔６９と相対している。
【００３３】
小孔６９と排気口７４は、腰掛座１５が水平状態のときには第９図の（１）で示すように、完全に連通するように構成されている。次いで腰掛座１５が回転するのに伴って、エアーシリンダ５７、部材５４を介して回転部材７１も回転し、第９図の（２）で示すように小孔６９は徐々に回転部材７１によって閉鎖され、小孔６９と排出口７４との連通度合いが狭まる。腰掛座１５が完全にフェンス内に収納されたときは、第９図の（３）で示すように小孔６９と排出口７４は完全に連通を遮断されるよう構成されている。
【００３４】
なお、本実施例においては、エアーシリンダ５７の下室６２のエアーをエキゾーストパイプ６４を介して排気口７４から徐々に排気するよう構成されているが、エアーシリンダ５７に直接排気口を設け、部材５４から腕部を延しその先端部分にこの排気口を徐々に閉鎖する機構を取り付けることにより、徐々にエアーを排気することも可能である。
【００３５】
このような構成で、利用者が腰掛座１５から立ち上がると、引張バネ５３の付勢力により腰掛座１５は第７図の矢印方向に回転をし始め、シャフト１１に固定された部材５４も回転する。引張バネ５３が収縮するのに伴って、逆にエアーシリンダ５７の上端（ピン５１）と下端（ピン５６）の間隔は伸張する。このときエアーシリンダ５７の上室６１にはエアー吸入口６３からエアーが吸入されると共に、下室６２内のエアーはエキゾーストパイプ６４、ニップル６６の通気孔６７、小孔６９を介して排気口７４から排気される。
【００３６】
エアーの排気量は腰掛座１５が回転し、小孔６９と排気口７４との連通度が狭ばまるのに伴って漸減し、エアーシリンダ５７の下室６２から排気口７４間のエアーが徐々に圧縮されていく。従って、腰掛座１５は利用者が立ち上がって回転を始めたときから徐々にスピードを緩めてフェンス１内に収納される。
【００３７】
なお、以上本発明の実施の形態においては、腰掛座１５は３人掛けのものが示されているが、これに限定されるものではなく、１人掛け、２人掛けあるいは４人掛け以上のものであってもよい。
【００３８】
また、支柱と支柱の間隔は、通常ユニットとして市販されているフェンスは、１．５ｍ、１．８ｍ、２．０ｍなどがあり、この発明の椅子付フェンスはこれらの長さに適用して好適であるが、勿論これに限定されるものではない。
【００３９】
さらにまた、支柱は３本とし、中央の支柱を貫通してシャフトを両端の支柱で軸支して腰掛座を設けてもよく、あるいは支柱を４本とし、中央の２本の支柱間、あるいは左右それぞれ２本の支柱間でシャフトの両端を軸支して腰掛座を設けてもよい。
【００４０】
【発明の効果】
以上説明したように、この発明によればフェンスを構成する支柱に直接シャフトを設け、これに腰掛座を取り付けるようにし、また、腰掛座折り畳み機構を支柱内に内蔵したので、椅子として利用していないときに、腰掛座や腰掛座折り畳み機構が支柱の幅より突出することがなくフェンスとしての機能を充分果しつつ、狭い場所や細い通路に設置しても通行の邪魔になることがない。
また、利用者が立ち上がったときに、支柱内に内蔵された腰掛座折り畳み機構により、腰掛座は徐々にスピードを落しながら回転してフェンス内に収納されるので、椅子とフェンスの間に手を挟まれたり、バネ機構に手をからめたりすることなく、安全な椅子付フェンスを提供することができる。
【図面の簡単な説明】
【図１】腰掛座が折り畳まれている状態を示す斜視図
【図２】腰掛座が利用されている状態を示す斜視図
【図３】腰掛座のストッパ機構を示す側面図
【図４】腰掛座が利用されているときの側断面図
【図５】腰掛座が折り畳まれているときの側断面図
【図６】腰掛座折り畳み機構の構造を示す一部省略斜視図
【図７】腰掛座折り畳み機構の他の実施例の構造を示す一部省略斜視図
【図８】排気口部分の拡大断面図
【図９】図８のＡ−Ａ断面図
【符号の説明】
１…フェンス  ２、３…支柱  １０…椅子部分  １１…シャフト  １５…腰掛座２０…ストッパ機構  ３０…腰掛座折り畳み機構  ３１…摺動体（内円筒）
３３、５３…引張バネ  ３６、５４…部材  ３８…ボールベアリング  ５７…エアーシリダ  ７４…排気口
【図１】
2004305672.tif 000003
【図２】
2004305672.tif 000004
【図３】
2004305672.tif 000005
【図４】
2004305672.tif 000006
【図５】
2004305672.tif 000007
【図６】
2004305672.tif 000008
【図７】
2004305672.tif 000009
【図８】
2004305672.tif 000010
【図９】
2004305672.tif 000011